(57)【要約】【課題】個人を識別し、識別した個人に応じた設定で制御される床暖房システムを提供する。【解決手段】ＨＥＭＳ３０は、ユーザ２０のＩＤ情報と床暖房パネル１６の温度設定とを対応付けて予め記憶しておき、ＩＤ読取装置１８Ａ，１８Ｂ，１８Ｃがユーザ２０の電子鍵２２から取得したＩＤ情報に対応付けられた温度設定で床暖房パネル１６を制御する。【選択図】図１
2015140983.tif 000002
【特許請求の範囲】
【請求項１】
室内の床に敷設される板状又はシート状であって、通電により発熱する発熱体と、
ユーザの電子鍵から該ユーザを識別するための認証情報を取得する認証情報取得手段と、
前記ユーザの認証情報と前記発熱体の温度設定とを対応付けて記憶した記憶手段と、
前記記憶手段を参照して前記認証情報取得手段が取得した認証情報に対応する温度設定を取得し、該取得した温度設定で前記発熱体を制御する制御手段と、
を備えた床暖房システム。
【請求項２】
前記発熱体は前記室内の床に互いに隣接して複数枚敷設される請求項１に記載の床暖房システム。
【請求項３】
前記認証情報取得手段は、前記発熱体に設けられる請求項１又は２に記載の床暖房システム。
【請求項４】
前記記憶手段は、前記発熱体の制御の優先順位を前記認証情報に対応付けてさらに記憶し、前記制御手段は、前記認証情報取得手段が複数の認証情報を取得した場合には、該取得した認証情報のうち、最も優先順位が高い認証情報の温度設定で前記発熱体を制御する請求項１〜３のいずれか１項に記載の床暖房システム。
【請求項５】
前記記憶手段は、前記ユーザが保護対象者である場合に、該保護対象者の認証情報に対応付けられた優先順位を最も高くする請求項４に記載の床暖房システム。
【発明の詳細な説明】
【技術分野】
【０００１】
本発明は、建物内の床暖房システムに関する。
【背景技術】
【０００２】
ユーザの足元を温めるための床暖房システムがいくつか提案されている。例えば、特許文献１では、フロアを複数区画に分け、各区画にはユーザの有無を検知する圧力センサを備えると共に、各々の区画で通電による加熱を独立して行うことができる床暖房パネルが開示されている。
【先行技術文献】
【特許文献】
【０００３】
【特許文献１】特開昭５８−２１７１３０号公報
【発明の概要】
【発明が解決しようとする課題】
【０００４】
特許文献１に記載の床暖房システムは、圧力センサの検知結果に基づいてユーザが存在すると判定した区画を加熱することができるものの、個々のユーザを識別して、個々のユーザに最適な温度設定で加熱するということができないという問題点があった。
【０００５】
本発明は、上記事実を考慮して成されたもので、個人を識別し、識別した個人に応じた設定で制御される床暖房システムを提供することを目的とする。
【課題を解決するための手段】
【０００６】
上記課題を解決するための請求項１の発明は、室内の床に敷設される板状又はシート状であって、通電により発熱する発熱体と、ユーザの電子鍵から該ユーザを識別するための認証情報を取得する認証情報取得手段と、前記ユーザの認証情報と前記発熱体の温度設定とを対応付けて記憶した記憶手段と、前記記憶手段を参照して前記認証情報取得手段が取得した認証情報に対応する温度設定を取得し、該取得した温度設定で前記発熱体を制御する制御手段と、を備える。
【０００７】
請求項１に記載の発明によれば、個人を識別するための認証情報が認証情報取得手段によって取得された場合に、取得された認証情報に対応付けられた温度設定で発熱体を制御することができる。
【０００８】
請求項２の発明は、請求項１に記載の発明において、前記発熱体は前記室内の床に互いに隣接して複数枚敷設される。
【０００９】
請求項２に記載の発明によれば、複数枚を敷設することにより、発熱体を敷設する面積を変更できる。
【００１０】
請求項３の発明は、請求項１又は２に記載の発明において、前記認証情報取得手段は、前記発熱体に設けられる。
【００１１】
請求項３に記載の発明によれば、発熱体に認証情報取得手段を設けることにより、当該発熱体上にユーザが存在した場合に、当該ユーザの認証情報を取得することができる。
【００１２】
請求項４の発明は、請求項１〜３のいずれか１項に記載の発明において、前記記憶手段は、前記発熱体の制御の優先順位を前記認証情報に対応付けてさらに記憶し、前記制御手段は、前記認証情報取得手段が複数の認証情報を取得した場合には、該取得した認証情報のうち、最も優先順位が高い認証情報の温度設定で前記発熱体を制御する。
【００１３】
請求項４に記載の発明によれば、複数のユーザが発熱体の上に存在する場合に、優先順位の高いユーザの温度設定で発熱体を制御できる。
【００１４】
請求項５の発明は、請求項４に記載の発明において、前記記憶手段は、前記ユーザが保護対象者である場合に、該保護対象者の認証情報に対応付けられた優先順位を最も高くする。
【００１５】
請求項５に記載の発明によれば、保護対象者である老人又は子供の温度設定を優先して発熱体を制御することができる。
【発明の効果】
【００１６】
以上説明したように、請求項１に記載の発明は、個人を識別するための認証情報が認証情報取得手段によって取得された場合に、取得された認証情報に対応付けられた温度設定で発熱体を制御することにより、個人を識別し、識別した個人に応じた設定で制御されるという効果を奏する。
【００１７】
請求項２に記載の発明によれば、識別した個人に応じた設定で複数枚の発熱体を制御できる。
【００１８】
請求項３に記載の発明によれば、発熱体上にユーザが存在した場合に、当該ユーザの認証情報を取得することにより、個人を識別し、識別した個人に応じた設定で制御されるという効果を奏する。
【００１９】
請求項４に記載の発明によれば、複数のユーザが発熱体の上に存在する場合に、優先順位の高いユーザの温度設定で発熱体を制御することにより、個人を識別し、識別した個人に応じた設定で制御されるという効果を奏する。
【００２０】
請求項５に記載の発明によれば、保護対象者の認証情報に対応付けられた優先順位を最も高くすることにより、保護対象者に応じた設定で制御されるという効果を奏する。
【図面の簡単な説明】
【００２１】
【図１】本発明の実施の形態に係る床暖房システムを有する建物の一例を示す概略図である。
【図２】本発明の実施の形態に係る床暖房システムにおけるＨＥＭＳの概略構成を示すブロック図である。
【図３】本発明の実施の形態に係る床暖房システムの制御の一例を示すブロック図である。
【図４】本発明の実施の形態に係る床暖房システムでＨＥＭＳのメモリに記憶されているユーザ別設定テーブルの一例を示す図である。
【図５】本発明の実施の形態に係る床暖房システムで、情報サーバを介して取得したデータを活用して床暖房パネルを制御する場合の一例を示すブロック図である。
【図６】本発明の実施の形態に係る床暖房システムにおける保護対象者優先の制御の一例を示す概略図である。
【図７】本発明の実施の形態に係る床暖房システムの制御の一例を示すフローチャートである。
【発明を実施するための形態】
【００２２】
以下、図面を参照して本発明の第１の実施の形態の一例を詳細に説明する。図１は、本発明の実施の形態に係る床暖房システム１０を有する建物１００の一例を示す概略図である。
【００２３】
本実施の形態では、系統電力１２からの電力が、建物１００の分電盤１４に供給されている。系統電力１２から分電盤１４に供給された電力は、床暖房パネル１６に分配されている。床暖房パネル１６は、電熱線を絶縁材と断熱材とで被覆してパネル状又はシート状に形成され、床に敷かれた状態で使用する暖房器具である。床暖房パネル１６は、内部の電熱線が通電によって発熱するが、ユーザが触れる表面の温度が当該ユーザに対応して設定された温度となるように、後述するＨＥＭＳ（Home  Energy Management System）３０によって制御される。
【００２４】
また、床暖房パネル１６は、所定の大きさの方形に形成され、複数個を互いに隣接させて建物１００の床に敷くことができる。所定の大きさは、一例として、略１メートル四方から略３メートル四方である。図１に示した床暖房パネル１６は、第１床暖房パネル１６Ａ、第２床暖房パネル１６Ｂ及び第３床暖房パネル１６Ｃで構成されている。第１床暖房パネル１６Ａ、第２床暖房パネル１６Ｂ及び第３床暖房パネル１６Ｃは、ユーザ２０の認証情報であるＩＤ情報を電子鍵２２から取得するＩＤ読取装置１８Ａ，１８Ｂ，１８Ｃを各々備えている。
【００２５】
なお、各床暖房パネルは、各々個別にＨＥＭＳ３０及び分電盤１４と接続されている。又は、床暖房パネル同士が接合する部分に電力供給のコネクタとＨＥＭＳ３０との通信に係るコネクタとを設けることもできる。かかる場合には、１の床暖房パネルがＨＥＭＳ３０及び分電盤１４と接続されているのであれば、隣接して敷設される他の床暖房パネルは、上記のコネクタを介して電力供給及びＨＥＭＳ３０との通信を行うことができる。
【００２６】
電子鍵２２は、ユーザ２０のＩＤ情報を記録したＩＣタグ又はスマートフォン等の携帯情報端末である。本実施の形態では、電子鍵２２からユーザ２０のＩＤ情報を含む電磁波を送信し、当該電磁波をＩＤ読取装置１８Ａ，１８Ｂ，１８Ｃの少なくともいずれか１つで受信する。電子鍵２２から送信される電磁波をＩＤ読取装置１８Ａ，１８Ｂ，１８Ｃが検知可能な範囲は、図１に検知範囲２４として示したように一定の範囲に限られており、検知範囲２４内にあるＩＤ読取装置１８Ａ，１８Ｂ，１８Ｃが電子鍵２２からの電磁波を受信することにより、ユーザ２０のＩＤ情報を取得する。
【００２７】
検知範囲２４を床面に対して、例えば、１つの床暖房パネルの面積と同等又は当該面積よりも少し大きくすることで、ユーザ２０が存在する床暖房パネルのＩＤ読取装置でのみ、ユーザ２０のＩＤ情報を取得できる。その結果、ユーザ２０が存在する床暖房パネルのみを作動させることが可能で、床暖房に係る消費電力を削減できる。
【００２８】
また、ＨＥＭＳ３０は、ＩＤ読取装置が所定の時間以上、電子鍵２２から送信された電磁波を受信した場合、つまりは、ユーザ２０が所定の時間以上、床暖房パネル１６上に存在した場合に、床暖房パネルを作動させる。所定の時間は、一例として１０秒程度である。
【００２９】
なお、ユーザ２０のＩＤ情報は、一例として、複数の文字若しくは複数の記号、又はそれらの結合で構成された、ユーザ２０に固有の情報である。
【００３０】
ＨＥＭＳ３０は、ＩＤ読取装置１８Ａ，１８Ｂ，１８Ｃが取得したＩＤ情報に対応付けられた温度設定で床暖房パネル１６の温度を制御する。ＨＥＭＳ３０は、ユーザ２０のＩＤ情報を、ＩＤ読取装置１８Ａが取得した場合には第１床暖房パネル１６Ａを、ＩＤ読取装置１８Ｂが取得した場合には第２床暖房パネル１６Ｂを、ＩＤ読取装置１８Ｃが取得した場合には第３床暖房パネル１６Ｃを、ユーザ２０に対応した設定温度になるように制御する。床暖房パネルの温度の制御は、各床暖房パネルに設けられた制御回路（図示せず）にＨＥＭＳ３０が設定温度に係る指令を出力し、各床暖房パネルの制御回路は、ＨＥＭＳ３０からの指令に基づいて、暖房パネルの電熱線に通電する電力を制御する。
【００３１】
また、ＨＥＭＳ３０は、ゲートウェイである終端装置５２を介してネットワーク６０に接続されており、ネットワーク６０上の情報サーバ８０から床暖房パネル１６の制御に関連する情報又はデータ等を取得する。ネットワーク６０には、建物１００と同様に床暖房パネルを有し、当該床暖房パネルをＨＥＭＳによって制御する他の建物７０が各々備えるＨＥＭＳが接続されている。
【００３２】
図２は、本実施の形態に係る床暖房システム１０に係るＨＥＭＳ３０の概略構成を示すブロック図である。ＨＥＭＳ３０は、コンピュータを含んで構成されており、図２に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００３３】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができ、例えば、室内操作盤として、操作部４８と表示部４６とを一体に構成してもよい。
【００３４】
表示部４６には、床暖房パネル１６の稼働状況等の情報が表示可能である。メモリ５０には、床暖房パネル１６を制御するプログラム及びこれらのプログラムを実行するための各種情報等が記憶されている。ＨＥＭＳ３０は、メモリ５０に記憶されたプログラムをＲＡＭ４０等に展開してＣＰＵ３６で実行することにより、床暖房パネル１６の制御を行うようになっている。
【００３５】
ＨＥＭＳ３０の入出力ポート４２には、分電盤１４、床暖房パネル１６、ＩＤ読取装置１８Ａ，１８Ｂ，１８Ｃ、終端装置５２等が接続されている。
【００３６】
図３は、本実施の形態に係る床暖房システム１０の制御の一例を示すブロック図である。床暖房パネル１６の、ＩＤ読取装置１８Ａ，１８Ｂ，１８Ｃがユーザ２０の電子鍵２２から取得したＩＤ情報は、ＨＥＭＳ３０に送信される。ＨＥＭＳ３０では、取得したＩＤ情報によってユーザ２０を識別し、識別したユーザ２０に対応した温度調整をするように床暖房パネル１６を制御する。
【００３７】
図４は、本実施の形態に係る床暖房システム１０でＨＥＭＳ３０のメモリ５０に記憶されているユーザ別設定テーブルの一例を示す図である。図４に示したように、ユーザ別設定テーブルは、ユーザごとに、ＩＤ情報、床暖房パネル１６の設定温度、性別、身長、体重及び制御の優先順位等のデータが記録されている。本実施の形態では、ＨＥＭＳ３０は、ユーザ別設定テーブルを参照して取得したＩＤ情報に対応するユーザ２０を特定すると共に、特定したユーザ２０に対応した設定温度を取得し、当該温度設定となるように床暖房パネル１６を制御する。
【００３８】
なお、図４に示したユーザ別設定テーブルは、ＨＥＭＳ３０から情報サーバ８０にアップロードするようにしてもよい。ユーザ別設定テーブルを情報サーバ８０にアップロードすることにより、他の建物７０において、建物１００のユーザ別設定テーブルに記載された温度設定で床暖房パネルを制御できる。
【００３９】
図５は、本実施の形態に係る床暖房システム１０で、情報サーバ８０を介して取得したデータを活用して床暖房パネル１６を制御する場合の一例を示すブロック図である。ＨＥＭＳ３０は、情報サーバ８０から気温等の気象情報を取得し、気温が低い場合には、床暖房パネル１６の設定温度を、図４に示したユーザ別設定テーブルよりも高めに設定する等の制御を行う。
【００４０】
また、情報サーバ８０に他の建物７０のユーザ別設定テーブルがアップロードされている場合には、他の建物７０のユーザ別設定テーブルをネットワーク６０を介して情報サーバ８０から取得し、取得したユーザ別設定テーブルの温度設定で床暖房パネル１６を制御してもよい。例えば、来客があった場合、当該来客に係るユーザ別設定テーブルを情報サーバ８０から取得することで、当該来客に対応した温度設定で床暖房パネル１６を制御できる。
【００４１】
本実施の形態では、ＨＥＭＳ３０は、ＩＤ読取装置が、図４のユーザ別設定テーブルに記載されていないＩＤ情報を取得した場合に、情報サーバ８０に問い合わせる。情報サーバ８０は、問い合わせに係るＩＤ情報を検索し、当該ＩＤ情報に対応した温度設定の情報をＨＥＭＳ３０に送信する。ＨＥＭＳ３０は、受信した温度設定の情報に基づいて床暖房パネルを制御する。
【００４２】
図６は、本実施の形態に係る床暖房システム１０における保護対象者優先の制御の一例を示す概略図である。図６の上段に示したように、ユーザ２０Ａの電子鍵２２Ａから送信された電磁波の検知範囲２４ＡにＩＤ読取装置１８Ａ，１８Ｂが存在する場合、第１床暖房パネル１６Ａ及び第２床暖房パネル１６Ｂがユーザ２０Ａに対応した温度設定で制御される。また、ユーザ２０Ｂの電子鍵２２Ｂから送信された電磁波の検知範囲２４ＢにＩＤ読取装置１８Ｃ，１８Ｄが存在する場合、第３床暖房パネル１６Ｃ及び第４床暖房パネル１６Ｄがユーザ２０Ｂに対応した温度設定で制御される。
【００４３】
しかしながら、図６の下段のように、ユーザ２０Ａの検知範囲２４Ａとユーザ２０Ｂの検知範囲２４Ｂとが重複した場合は、老人又は子供等の保護対象者であるユーザ２０Ｂの温度設定が優先され、第２床暖房パネル１６Ｂは、ユーザ２２Ｂに対応した温度設定で制御される。なお、本実施の形態では、図４に示したユーザ別設定テーブルにおいて、制御の優先順位を記載しているので、当該優先順位に従った制御を行う。また、本実施の形態では、ユーザ別設定テーブルにおいて、温度設定を再優先する保護対象者を示す記載が別途可能で、ＨＥＭＳ３０は、当該記載に基づいて、保護対象者優先の制御をしてもよい。また、上述のように来客があった場合には、保護対象者よりも来客に対応した温度設定で床暖房パネルを制御してもよい。
【００４４】
図７は、本実施の形態に係る床暖房システム１０の制御の一例を示すフローチャートである。ステップ７００では、電子鍵２２から送信されたＩＤ情報が検知範囲２４内にあるか否かを判定し、否定判定の場合には、ステップ７０２で床暖房パネル１６を作動させずに処理を終了する。ステップ７００で肯定判定の場合には、ステップ７０４で取得したＩＤ情報が複数あるか否かを判定し、否定判定の場合には、ステップ７０６でＩＤ情報を含む電磁波が１０秒以上受信できたか否か、すなわちユーザ２０が１０秒以上同一の床暖房パネル上に滞在したか否かを判定する。
【００４５】
ステップ７０６で肯定判定の場合にはステップ７０８で取得したＩＤ情報に従って床暖房パネル１６の温度を制御する。ステップ７０６で否定判定の場合には、ステップ７０２で床暖房パネル１６を作動させずに処理を終了する。
【００４６】
ステップ７０４で肯定判定の場合には、ステップ７１０で、ユーザ２０の優先順位を確認する。この場合、ユーザ別設定テーブルに記載された優先順位に従うが、取得したＩＤ情報に、来客のものが含まれている場合には、情報サーバから当該来客の設定が記載されているユーザ別設定テーブルを取得する。そして、ステップ７０８では、優先するユーザに対応した温度で床暖房パネルの温度を制御して処理を終了する。
【００４７】
以上説明したように、本実施の形態によれば、電子鍵２２から取得したＩＤ情報により個人を識別し、識別した個人に応じた設定で作動する床暖房システムを提供することができる。
【符号の説明】
【００４８】
１０   床暖房システム
１６Ａ 第１床暖房パネル
１６Ｂ 第２床暖房パネル
１６Ｃ 第３床暖房パネル
１６Ｄ 第４床暖房パネル
１８Ａ，１８Ｂ，１８Ｃ，１８Ｄ     ＩＤ読取装置
２０   ユーザ
２０Ａ，２０Ｂ       ユーザ
２２   電子鍵
２２Ａ，２２Ｂ       電子鍵
２４   検知範囲
２４Ａ，２４Ｂ       検知範囲
３０   ＨＥＭＳ
３６   ＣＰＵ
３８   ＲＯＭ
４０   ＲＡＭ
４２   入出力ポート
４４   バス
４６   表示部
４８   操作部
５０   メモリ
５２   終端装置
６０   ネットワーク
７０   他の建物
８０   情報サーバ
１００ 建物
【図２】
2015140983.tif 000003
【図３】
2015140983.tif 000004
【図４】
2015140983.tif 000005
【図５】
2015140983.tif 000006
【図７】
2015140983.tif 000007
【図１】
2015140983.tif 000008
【図６】
2015140983.tif 000009